(57)【特許請求の範囲】
【請求項１】
遊技盤の最下部に区画形成された複数の入球口を有し、前記遊技盤上に発射された遊技球が前記複数の入球口のいずれかの連続した所定箇所以上に入球した場合に賞球が与えられるアレンジボール式遊技機において、
前記遊技盤における前記複数の入球口の上方には移動穴が形成され、
前記遊技盤の裏面側であって前記移動穴と対向する部位に配置される駆動モーターと、
前記駆動モーターの前面側に突出する軸に固着され、前記遊技盤の裏面側において前記駆動モーターによって回転されるカムと、
前記カムの前面側に配置され、前記遊技盤の裏面側において前記カムと係合されるリンク部材と、
前記リンク部材に突設され、前記遊技盤の裏面側から前記移動穴に挿入され前記移動穴内を左右方向にのみ移動可能とされる移動凸部と、
前記遊技盤の前面側であって前記移動穴と対向する部位に配置され、前面側に複数の誘導釘を有する誘導板とを備え、
前記リンク部材は、前記移動凸部が前記カムの回転に連動して前記移動穴内を移動することで、前記遊技盤の裏面側にて左右方向に移動するように構成され、
前記誘導板は、裏面が前記移動凸部に固着されて、前記リンク部材の動作に従って前記遊技盤の前面側にて左右方向に移動するように構成され、
前記誘導板が前記遊技盤の前面側にて左右方向に移動することで、前記複数の入球口への遊技球の誘導径路が変化することを特徴とするアレンジボール式遊技機。
【発明の詳細な説明】
【０００１】
【発明の属する技術分野】
本発明は、複数の誘導釘と複数の入球口が備えられた遊技盤に遊技球を発射する弾球遊技機及びアレンジボール式弾球遊技機に関するものである。
【０００２】
【従来の技術】
従来の弾球遊技機においては、遊技盤に備えられた複数の入球口の上方に複数の誘導釘が配置されており、ハンマー等で叩打することによりこれら誘導釘の角度調整をして遊技球を入球口に入球し易くしたり、入球し難くしたりするものであった。また、特に周知のアレンジボール式遊技機においては、遊技盤の最下部近辺に横一列に配置された複数の入球口が備えられており、遊技球が前記複数の入球口のいづれかの連続した４箇所以上に入球した場合に賞球が与えられるものであるが、実際には特定遊技状態（所謂大当り）にならなければ賞球が与えられ難いように前記複数の入球口に配置させている一部の誘導釘を角度調整し入球し難くしてあるのが現状であった。
【０００３】
【発明が解決しようとする課題】
しかしながら、このような弾球遊技機では、遊技客が誘導釘の状態を見れば入球し易いかどうかを予測できるため、遊技が大当り等の特別遊技状態になるまで単調な遊技状態が続いてしまうといった虞が考えられた。一方、遊技客は、常に予測のできない斬新で新規性のある遊技機を求める傾向にある。
【０００４】
【課題を解決するための手段】
上記課題を解決するために、本発明のアレンジボール式遊技機は、遊技盤の最下部に区画形成された複数の入球口を有し、前記遊技盤上に発射された遊技球が前記複数の入球口のいずれかの連続した所定箇所以上に入球した場合に賞球が与えられるアレンジボール式遊技機において、前記遊技盤における前記複数の入球口の上方には移動穴が形成され、前記遊技盤の裏面側であって前記移動穴と対向する部位に配置される駆動モーターと、前記駆動モーターの前面側に突出する軸に固着され、前記遊技盤の裏面側において前記駆動モーターによって回転されるカムと、前記カムの前面側に配置され、前記遊技盤の裏面側において前記カムと係合されるリンク部材と、前記リンク部材に突設され、前記遊技盤の裏面側から前記移動穴に挿入され前記移動穴内を左右方向にのみ移動可能とされる移動凸部と、前記遊技盤の前面側であって前記移動穴と対向する部位に配置され、前面側に複数の誘導釘を有する誘導板とを備え、前記リンク部材は、前記移動凸部が前記カムの回転に連動して前記移動穴内を移動することで、前記遊技盤の裏面側にて左右方向に移動するように構成され、前記誘導板は、裏面が前記移動凸部に固着されて、前記リンク部材の動作に従って前記遊技盤の前面側にて左右方向に移動するように構成され、前記誘導板が前記遊技盤の前面側にて左右方向に移動することで、前記複数の入球口への遊技球の誘導径路が変化することを特徴とする。
【０００５】
【発明の実施の形態】
本発明の弾球遊技機は上記構成により、
駆動手段を駆動させると遊技盤の移動穴を介して誘導板を移動させると共に誘導板に配置されている複数の誘導釘も移動させる。これにより、遊技盤上に発射された遊技球の誘導径路を様々変化させるよう作用する。
【０００６】
【具体例】
本発明の具体例について図１〜図５を参照して説明すると、図１及び図２に示すアレンジボール式弾球遊技機（以下、単に遊技機という）１には遊技盤２が備えられると共に、遊技盤２の前面は、ガラス枠３を介して前面枠４に装着された二重のガラス５ａ，５ｂで覆われている。これにより、遊技盤２と内側のガラス５ａとの間には遊技領域６が形成される。遊技盤２の最下部近辺には区画形成された１６個の入球口７が設けられた入球ケース８が備えられており、入球ケース８の上方には移動穴９が貫設されている。また、入球ケース８の上方であって、前記１６個の各々の入球口７の各々の仕切板１０の垂直線上には各々誘導釘１１が配置されるが、各々の誘導釘１１は水平線上に整列された状態で配置されている。
また、移動穴９の前面側には誘導板１２が、移動穴９の裏面側には誘導板１２の移動を可能にする駆動部１３が設置されているが、これらについては、後に詳しく説明する。
尚、遊技盤２には周知のチャツカーや役物等が配置されているが、これらの図示及び説明は省略する。
【０００７】
前面枠４の上部にはいわゆる大当りが発生した際に点灯する大当りランプ２０が組み付けられている。また、前面枠４は、右側部に設けられた鍵２１を操作することにより、左側部の裏面側に装着されているヒンジ（図示略）を軸として開閉可能である。前面枠４の下方には、上受皿２２及び下受皿２３が一体的に設けられた皿部材２４が配されている。上受皿２２及び下受皿２３には、それぞれに遊技機１からの遊技球を排出するための上皿排出口２５及び下皿排出口２６が開口している。また、皿部材２４には複数の小孔からからなるスピーカー面２７が設けられており、スピーカー面２７の裏面には遊技状態に応じて音声を発生するスピーカー（図示略）が装着されている。更に皿部材２４には、上受皿２２から供給された遊技球の発射の停止を指示する発射停止スイッチ２８が設置されている。尚、遊技球は皿部材２４に設けられた操作ハンドル２９を操作することにより遊技盤２上の遊技領域６に発射される。この皿部材２４は左側部の裏面側に装着されているヒンジ（図示略）を軸として開閉可能であるが、通常の使用時には、皿部材２４は前面枠４によって上辺部分を押えられ開放を防止されている。従って、皿部材２４を開くには、前面枠４を開放し右裏側のロック（図示略）を解除する必要がある。
また、遊技機１の裏面には、遊技機１を制御する電子制御装置や遊技球を排出したりする機構等が備えられているが、これらは周知の技術であり図示及び説明は省略する。
【０００８】
次に遊技盤２の移動穴９の前面側に配置される誘導板１２と、移動穴９の裏面側に配置される駆動部１３について、図２〜図５を参照して説明する。図２及び図３に示すように誘導板１２は、横長状基板の中心付近の水平線上に一定の間隔をおいて９本の誘導釘３０ａ〜３０ｉが配置されて構成されている。前述した一定の間隔は、本具体例においては、入球ケース８上の各々の誘導釘１１間隔と同間隔に調整されている。
駆動部１３は図３に示すように、軸３１を有する駆動モーター３２と、駆動モーター３２の軸３１に固着される円盤状のカム３３と、カム３３に係合され、誘導板１２裏面に固着されるリンク部材３４とから構成されている。
駆動モーター３２の正面には両端に取付部３５ａ，３５ｂが設けられた取付板３５が固着されており、取付板３５の中心には軸穴３５ｃが貫設されている。
この軸穴３５ｃは取付板３５を駆動モーター３２に取り付けた際、駆動モーター３２の軸３１が軸穴３５ｃを介して取付板３５の前面側に突出されるよう構成されている。尚、軸穴３５ｃは軸３１の直径より若干大きく形成されており、軸３１の回転に支障を与えることはない。
カム３３の正面の最端近辺にはピン３３ａが突設されており、カム３３裏面の中心には軸受溝３３ｂが形成されている。また、リンク部材３４は長円のリング部３４ａとリング部３４ａの正面中央付近に突設された移動凸部３４ｂとにより構成されている。
駆動モーター３２の軸３１はカム３３裏面の軸受溝３３ｂに挿入固着され、カム３３はピン３３ａをリンク部材３４のリング部３４ａ内に挿入させることによりリンク部材３４と係合されている。
【０００９】
上記のように構成された駆動部１３を遊技盤２裏面に取り付けるには、リンク部材３４の移動凸部３４ｂを遊技盤２裏面側から移動穴９に挿入させ、駆動モーター３２の取付部３５ａ，３５ｂをビス等で遊技盤２裏面に固着させる。この時移動凸部３４ｂは遊技盤２の正面側に１ｍｍ程度突出される。尚、遊技盤２の移動穴９の縦幅は移動凸部３４ｂの縦幅より１ｍｍ程度長く、横幅は前記移動凸部３４ｂの横幅より１５ｍｍ程度長く形成されている。これにより、移動凸部３４ｂは左右にのみ移動可能となる。
遊技盤２の正面側に突出された移動凸部３４ｂの先端面には前述した誘導板１２が固着される。この時、誘導板１２はリンク部材３４の移動凸部３４ｂの先端面の中心と誘導板１２裏面の中心とを合わせた状態で固着されている。
【００１０】
次に、駆動部１３及び誘導板１２の動作について図２,図４及び図５を参照して説明する。
駆動モーター３２に図示されない電源を入れると軸３１が回転し、同時にカム３３が回転すると共にピン３３ａが円を描くように回転する。例えば図４（ａ）に示すようにカム３３のピン３３ａが最上部に位置し、リンク部材３４が駆動モーター３２の中央に略垂直状態で位置している状態を始点とすると、駆動モーター３２を左回転させた場合、ピン３３ａはリンク部材３４を左方向に押しながら回転し、リンク部材３４を左方向に移動させる。即ち、図４（ｂ）に示すように、ピン３３ａが最も左方向に位置した時がリンク部材３４の左方向への移動の限界位置である。また、前述した図４（ｂ）に示す状態からピン３３ａを更に回転をさせ続けると、ピン３３ａはリンク部材３４を右方向に押しながら回転し、リンク部材３４を右方向に移動させる。即ち、図４（ｃ）に示すように、ピン３３ａが最も右方向に位置した時がリンク部材３４の右方向への移動の限界位置である。
尚、リンク部材３４の移動凸部３４ｂは遊技盤２の移動穴９によって移動を左右のみ可能に制限されているので、上下に蛇行する虞はない。
【００１１】
上述したリンク部材３４の動作に従ってリンク部材３４の移動凸部３４ｂに固着されている誘導板１２も左右に移動されるので、リンク部材３４が前述した図４（ａ）に示す位置の時には、誘導板１２に配置されている各々の誘導釘３０ａ〜３０ｉは、図２に示すように各々の誘導釘１１の略垂直上に位置する。また、リンク部材３４が前述した図４（ｂ）に示す位置に移動した時には、誘導板１２は左方向に移動し、誘導板１２に配置されている各々の誘移動釘３０ａ〜３０ｉは、図５（ａ）に示すように各々の入球口７の中心の略垂直線上に位置する。更に、リンク部材３４が上述した図４（ｃ）に示す位置に移動した時には、誘導板１２は右方向に移動し、誘導板１２に配置されている各々の誘導釘３０ａ〜３０ｉは、図５（ｂ）に示すように各々の入球口７の中心の略垂直線上に位置する。尚、本具体例においては、駆動モーター３２は常時一定の速度で回転させており、これにより、誘導板１２を一定の周期で左右に移動させるよう構成されている。
【００１２】
上記のように構成された本具体例の遊技機１においては、遊技盤２上に発射された遊技球は遊技盤２の最下部近辺に設けられた入球ケース８に向かって落下するが、入球ケース８の上方では誘導釘３０ａ〜３０ｉが配置された誘導板１２が常時左右に移動されているので遊技球が入球ケース８の複数の入球口７のいづれに入球するかの予測をすることが不可能となる。
【００１３】
以上詳細に説明したように、本具体例の遊技機１によると、誘導釘３０ａ〜３０ｉが設けられた誘導板１２を移動させることによって、各々の入球口７への遊技球の誘導径路を様々変化させることができる。また、誘導板１２上の誘導釘３０ａ〜３０ｉを角度調整した上で誘導板１２を移動させることによって遊技球の入球率を様々変化させることもできる。これにより、遊技客は遊技球がどの入球口７に入球するかが予測できずスリルに富んだ遊技を楽しむことができる。
尚、本具体例においては、駆動部１３が駆動手段に対応する。また、本発明は要旨を逸脱しない限り種々なる改良は自由である。
【００１４】
【発明の効果】
本発明のアレンジボール式遊技機によると、駆動手段により誘導板を移動させることによって遊技球の誘導径路を様々変化させることができる。これにより、遊技球が入球し易い状態にさせたり、入球し難い状態にさせたりすることが可能となり、遊技者に予測のできない斬新で新規性のある遊技機を提供することができるといった極めて優れた効果を有する。
【図面の簡単な説明】
【図１】本具体例の遊技機を示す正面図である。
【図２】本具体例の遊技盤の最下部近辺を示す拡大図である。
【図３】本具体例の駆動部及び誘導板を示す斜視分解図である。
【図４】本具体例の駆動部の動作を示す摸式図であり、図４（ａ）はカムのピンが最上方向に回転した時のリンク部材の状態を示し、図４（ｂ）はカムのピンが最も左方向に回転した時のリンク部材の状態を示し、図４（ｃ）はカムのピンが最も右方向に回転した時のリンク部材の状態を示す正面図である。
【図５】本具体例の誘導板の動作を示す摸式図であり、図５（ａ）は誘導板が最も左に移動した状態を示し、図５（ｂ）は誘導板が最も右に移動した状態を示す正面図である。
【符号の説明】
１・・・遊技機（弾球遊技機）  ２・・・遊技盤
３・・・ガラス枠              ４・・・前面枠
５ａ，５ｂ・・・ガラス        ６・・・遊技領域
７・・・入球口        ８・・・入球ケース    ９・・・移動穴
１０・・・仕切板              １１，３０，３０ａ〜３０ｉ・・・誘導釘
１２・・・誘導板      １３・・・駆動部      ２０・・・大当りランプ
２１・・・鍵          ２２・・・上受皿      ２３・・・下受皿
２４・・・皿部材      ２５・・・上皿排出口  ２６・・・下皿排出口
２７・・・スピーカー面        ２８・・・発射停止スイッチ
２９・・・操作ハンドル        ３１・・・軸
３２・・・駆動モーター        ３３・・・カム
３３ａ・・・ピン      ３３ｂ・・・軸受溝    ３４・・・リンク部材
３４ａ・・・リング部  ３４ｂ・・・移動凸部  ３５・・・取付板
３５ａ，３５ｂ・・・取付部
【図１】
0003851977.tif 000002
【図２】
0003851977.tif 000003
【図３】
0003851977.tif 000004
【図４】
0003851977.tif 000005
【図５】
0003851977.tif 000006